(57)【要約】【課題】  従来のボディの外形寸法を大きく変えることなく簡単に組み込む。【解決手段】  前カバーと露光ユニットとの間には、デートモジュール４７が内蔵されている。デートモジュール４７は、前カバーに設けた採光窓の背後に透過型の液晶表示部４５を備えている。液晶表示部４５には、予め記憶したカレンダーに基づいて時計回路が自動的に更新する日付が表示される。液晶表示部４５の背後には、撮影用のシャッタ開口５２とは別にデート光用のシャッタ開口５９が配置され、撮影用のシャッタ羽根５０に連動してシャッタ部材６０が開閉すると、デート光がシャッタ開口５９を通って暗箱５６の内部に導かれる。暗箱５６の内部には、２枚のミラー板６２，６３と結像レンズ６４とが組み込まれている。これらの結像光学系は、デート光を露光開口３８にセットされた写真フイルムに乳剤面側から結像する。【選択図】        図５
2005196229.tif 000002
【特許請求の範囲】
【請求項１】
予め記憶したカレンダーに基づいて時計回路が自動的に更新する日付が表示される透過型の液晶表示部と、
撮影窓から被写体光を取り入れる撮影レンズの背後に配置された被写体光用のシャッタ開口とは異なる位置に設けられており、被写体側から見て前記撮影窓の中心を通る垂直な軸に対して右側に設けた採光窓から入射する外光、又はストロボ装置から発光されるストロボ光の一部が前記液晶表示部を通ることで作成されるデータ光を、前記撮影レンズと写真フイルムがセットされる露光開口との間に配置した暗箱の内部に導くためのデータ光用のシャッタ開口と、
前記被写体光用のシャッタ開口の前に配置したシャッタ羽根の開閉部に隣接して設けられており、前記シャッタ羽根がシャッタレリーズに応答して前記回転軸中心に一往復揺動して前記被写体光用のシャッタ開口を開閉するのに連動して前記データ光用のシャッタ開口を開閉するデータ光用のシャッタ部材と、
前記暗箱の内部のうちの撮影光束外の位置で、前記暗箱の内壁と前記暗箱内に設けた有害光遮光部材との間で保持されており、前記データ光用のシャッタ開口を通過したデータ光を、シャッタボタンが右上にくる横位置撮影のときに被写体側から見て前記露光開口にセットされた写真フイルムの写し込み画面のうちの右上に結像させる結像光学系と、
を備えたことを特徴とするカメラ用のデータ写し込み装置。
【請求項２】
前記採光窓は、前記撮影窓に対して右下に配されており、
前記結像光学系は、シャッタボタンが右上にくる横位置撮影のときに被写体側から見て、前記データ光を前記暗箱内の上方に導くデータ光用案内部材と、前記暗箱内の上方に導かれたデータ光を、前記露光開口にセットされた写真フイルムの写し込み画面のうちの右上に結像させる結像レンズと、から構成されていることを特徴とする請求項１記載のカメラ用のデータ写し込み装置。
【発明の詳細な説明】
【技術分野】
【０００１】
本発明は、外光を利用して作成したデータ光を写真フイルムの露光画面内に被写体光とともに写し込むカメラ用のデータ写し込み機構に関するものである。
【背景技術】
【０００２】
いつでも手軽に写真撮影ができるように、予め写真フイルムを内蔵したレンズ付きフイルムユニットが本出願人より提供されている。このレンズ付きフイルムユニットは、写真フイルムカートリッジを装填した本体基部と、この本体基部の前に取り付けられる前カバーと、本体基部の背面に取り付けられる後カバーとを持っている。本体基部には、シャッタ機構、撮影レンズ、ストロボユニット等の露光付与機構が組み込まれている。写真フイルムの撮影コマの全てに撮影を完了すると、そのまま現像所に提出される。現像所では、露光済みの写真フイルムを収納したカートリッジを、後カバーの底蓋を開いて取り出し、現行の現像処理システムを使用して現像及び焼付け等の処理を行う。ユーザーにはプリント写真と現像済みの写真フイルムとが返却される。
【０００３】
ところで、レンズ付きフイルムユニットに日付写し込み機構を内蔵したものが知られている（特許文献１）。この公報記載の日付写し込み機構は、ボディ背面に設けたダイヤル式の手動デート操作部で所望するデートをセットした後に撮影を行うと、撮影用のシャッタ羽根に連動してデート写し込み用のシャッタ部材が作動し、ボディ前面の窓から入射する自然光をライトガイドを介して後カバーの背面側に導き、白抜き（透明）のデートが表示されたデート写し込み板を通して写真フイルムの背面側から露光画面内にデートを密着して写し込むようにしている。この機構では、写し込み時にデータ像を発生させる光源として自然光を利用している。この光は、撮影レンズ側から取り入れられ、撮影レンズと露光開口との間の暗箱の外部下側を通して配置されたライトガイドによりフイルムの背面側に配置したデータ写し込み板に導かれる。
【特許文献１】特開平５−２８９１６４号公報
【発明の開示】
【発明が解決しようとする課題】
【０００４】
しかしながら、上記日付写し込み機構では、デート写し込み板や手動デート操作部等が後カバーに配置されるため、後カバーが出っ張り、ボディ自体が厚くなる。また、ライトガイドが暗箱の外部下側に配置されており、例えば、ストロボ内蔵のレンズ付きフイルムユニットでは、暗箱の下方に電池を収納しているから、ここにライトガイドを配置すると、どうしてもレンズ付きフイルムユニット自体の高さを高くする設計変更が生じる。さらに、密着露光タイプでは、デート写し込み板を写真フイルムに接触させるとフイルムに傷が付くから、僅かに離している。このため、デート画像の輪郭がわずかにぼやけてしまい、サービスサイズまで引き伸ばしてプリントしたプリント写真ではデート画像の鮮明さに欠ける欠点がある。また、デート写し込み操作部は、撮影する日が変わるごとにデート写し込み板を操作する作業が必要となり、面倒である。
【０００５】
本発明は上記従来技術の問題点を考慮してなされたもので、従来のコンパクト性を維持して少ない設計変更で内蔵でき、鮮明にデート画像を写し込むことができるカメラ用のデータ写し込み装置を提供することを目的とする。
【課題を解決するための手段】
【０００６】
上記目的を達成するために、本発明のデータ写し込み装置では、予め記憶したカレンダーに基づいて時計回路が自動的に更新する日付が表示される透過型の液晶表示部と；撮影窓から被写体光を取り入れる撮影レンズの背後に配置された被写体光用のシャッタ開口とは異なる位置に設けられており、被写体側から見て前記撮影窓の中心を通る垂直な軸に対して右側に設けた採光窓から入射する外光、又はストロボ装置から発光されるストロボ光の一部が前記液晶表示部を通ることで作成されるデータ光を、前記撮影レンズと写真フイルムがセットされる露光開口との間に配置した暗箱の内部に導くためのデータ光用のシャッタ開口と；前記被写体光用のシャッタ開口の前に配置したシャッタ羽根の開閉部に隣接して設けられており、前記シャッタ羽根がシャッタレリーズに応答して前記回転軸中心に一往復揺動して前記被写体光用のシャッタ開口を開閉するのに連動して前記データ光用のシャッタ開口を開閉するデータ光用のシャッタ部材と；前記暗箱の内部のうちの撮影光束外の位置で、前記暗箱の内壁と前記暗箱内に設けた有害光遮光部材との間で保持されており、前記データ光用のシャッタ開口を通過したデータ光を、シャッタボタンが右上にくる横位置撮影のときに被写体側から見て前記露光開口にセットされた写真フイルムの写し込み画面のうちの右上に結像させる結像光学系と；を備えたものである。
【０００７】
ところで、横位置撮影は勿論、縦位置撮影のときにも確実に被写体画像に対して下側にデート像が写し込むのが、例えば被写体の顔にデート画像が重複して記録されるようなことはないため、望ましい。そこで、採光窓を撮影窓に対して右下に配した場合には、結像光学系としては、シャッタボタンが右上にくる横位置撮影のときに被写体側から見て、データ光を暗箱内の上方に導くデータ光用案内部材と、暗箱内の上方に導かれたデータ光を、露光開口にセットされた写真フイルムの写し込み画面のうちの右上に結像させる結像レンズとから構成すればよい。また、採光窓を撮影窓に対して右上に配した場合には、結像光学系としては、前記データ光用案内部材を省略でき、結像レンズのみを用いればよい。
【発明の効果】
【０００８】
以上のように、本発明のカメラ用のデータ写し込み装置によれば、撮影光束が通る暗箱の内部を利用してデート光を写真フイルムに乳剤面側から導く光路にしたから、従来のボディの形状をそのまま維持したままで組み込むことができる。また、液晶表示部は、デート表示を自動的に補正して表示するから、日付けをセットしなおす必要がなく、簡便である。また、結像光学系を用いたから、デート画像を鮮明に写し込むことができる。さらに、デート光を露光開口の上方に写し込むようにしたから、横位置撮影は勿論、縦位置撮影のときにも確実に被写体画像に対して下側にデート像が写し込まれるから、例えば被写体の顔にデート画像が重複して記録されるようなことはない。
【発明を実施するための最良の形態】
【０００９】
以下、データ写し込み機構を内蔵したレンズ付きフイルムユニットを説明する。レンズ付きフイルムユニット（以下「フイルムユニット」と称す。）１は、図１に示すように、ユニット本体２と、これの外周を覆う外装体３とから構成されている。ユニット本体２には、前面にグリップ部４、撮影窓５、採光窓６、ファインダー対物窓７、ストロボ発光窓８、ストロボ充電開始ボタン９が、また、上面にシャッタボタン１０、フイルム残数表示窓１１、充電完了ランプ表示窓１２、さらに背面に巻き上げノブ１３、及びファインダー接眼窓１４が配置されている。
【００１０】
ユニット本体２の前面は、グリップ部４と膨出部１５とを残して一段凹ました形状とされており、従来どおりに薄型化が図られている。膨出部１５は、撮影レンズ側から見て撮影窓５と採光窓６とストロボ充電開始ボタン９の一部を包括する範囲で膨出した部分であり、高さ方向において上端がファインダー対物窓７から所定間隔離れ、これから下端までの間で撮影窓５と採光窓６とを包括する。また、水平方向においては、左端がグリップ部４から所定間隔離れ、右端がストロボ充電開始ボタン９の一部にかかる長さとされ、これらの間で撮影窓５と採光窓６とを包括する。この膨出部１５の前面に、撮影レンズを覆う鏡筒が突出して形成されている。
【００１１】
外装体３は、図２に示すような展開形状とされており、ユニット本体２を載置した後に組み立てることで直方体の小箱となる。組立は、糊代部分を各々接着することで行える。この外装体３の展開形状には、膨出部１５、ファインダー対物窓７、ストロボ発光窓８、フイルム残数表示窓１１、充電完了ランプ表示窓１２、及びファインダー接眼窓１４を外部に露呈するための開口３ａ〜３ｆと、シャッタボタン１０及び巻き上げノブ１３にかけて外部に露呈するための切り欠き部３ｇとがそれぞれ形成されている。膨出部１５を露呈する開口３ａは、ファインダー対物窓７を露呈させる開口３ｂと、ストロボ発光窓８を露呈する開口３ｃとを隣接して形成することができる最小の隙間を隔てて形成されている。これにより、外装体３の小箱形状をユニット本体２に密着して覆うことができ、ユニット本体２と外装体３との隙間からゴミが入り込んで内部の機構が故障する等の不都合を未然に防止することができる。
【００１２】
ユニット本体２は、図３に示すように、前カバー２２、後カバー２３、本体基部２４、露光ユニット２５、ストロボユニット２６、データモジュール２７、及び写真フイルムカートリッジ２８とから構成される。
【００１３】
本体基部２４には、カートリッジ２９を収納するためのカートリッジ収納室３０と、カートリッジ２９から引き出した未露光の写真フイルム３１をフイルムロール３１ａの形態で収納するためのフイルム収納室３２とが一体成形されている。本実施形態では、フイルムロール３１ａだけを収納しているが、例えば巻芯に巻き付けた形態のフイルムロールを収納してもよい。写真フイルム３１は、フイルム後端がカートリッジ２９に設けられたスプール３３に係止されている。この写真フイルム３１は、予め決められたフイルム感度のものが用いられる。なお、写真フイルムカートリッジ２８としては、１３５タイプの他に、未使用時にはフイルム先端がカートッジの内部に収納されており、スプール回転により写真フイルムをカートリッジの外部に送り出すことができるタイプのものを用いてもよい。
【００１４】
前カバー２２には、上面にシャッタボタン１０、充電完了ランプ表示窓１２が、また前面に膨出部１５、ストロボ充電開始ボタン９、及びストロボ発光窓８がそれぞれ一体に形成されている。後カバー２３には、ファインダー接眼窓１４と巻き上げノブ１３を外部に露呈させる開口２３ａとが形成されており、本体基部２４の背後に着脱自在に取り付けられ、本体基部２４との間で写真フイルムカートリッジ２８を光密に収納する。カートリッジ収納室３０とフイルム収納室３２との底は開口となっており、写真フイルムカートリッジ２８を装填した後に、後カバー２３に設けたプルトップ式の底蓋３４，３５によってそれぞれ塞がれる。このうち底蓋３４は、撮影済みの写真フイルムを収納したカートリッジ２９を取り出すときの蓋となる。
【００１５】
カートリッジ収納室３０の上面には、巻き上げノブ１３が回動自在に配置されている。巻き上げノブ１３の下部には、フォークが一体に形成されており、このフォークがカートリッジ収納室３０の上面の開口を挿通してスプール３３に係合している。巻き上げノブ１３は、後カバー２３の開口２３ａから露呈され、フイルム巻き上げ方向（同図に示す反時計方向）への回転操作により、スプール３３がフイルム巻き取り方向に回転して撮影済みの写真フイルム３１をカートリッジ２９の内部に収納する巻き上げ機構を構成する。
【００１６】
カートリッジ収納室３０とフイルム収納室３２との間には、暗箱の一部となる分割暗箱３７が一体に設けられている。分割暗箱３７の背面側には、露光開口３８が形成されている。分割暗箱３７の前面には、露光ユニット２５が着脱自在に取り付けられる。
【００１７】
露光ユニット２５は、ベースとなる分割暗箱５３に、撮影レンズ３９、シャッタ機構、フイルム巻き止め機構、シャッタチャージ機構、及び、ファインダー光学部品等が組み込まれており、これらはユニット化されている。露光ユニット２５の前面右側には、データモジュール２７が着脱自在に取り付けられる。
【００１８】
撮影レンズ３９は、撮影窓５に対応した位置に配置される。露光ユニット２５の分割暗箱５３は、本体基部２４の分割暗箱３７との組合せで暗箱を形成する。暗箱が形成されると、撮影レンズ３９と露光開口３８との間の撮影光路が暗室状態とされる。なお、暗箱を分割形態にしているが、分割しないで本体基部２４、又は露光ユニット２５側のいずれかに一方に一体に設けてもよい。
【００１９】
ストロボユニット２６は、前カバー２２とフイルム収納室３２との間のスペースに挟装して着脱自在に取り付けられており、シンクロスイッチ４０、メインコンデンサ４１、電源電池４２、ストロボ発光部４３、及びストロボ基板４４等から構成されている。ストロボ充電開始ボタン９の押下操作が行われると、電源電池４２からの電圧が昇圧されてメインコンデンサ４１に充電が行われる。シャッタレリーズに連動してシャッタ機構が作動することでシンクロスイッチ４０がＯＮする。シンクロスイッチ４０がＯＮすると、ストロボ発光部４３の内部の放電管にトリガー信号が与えられ、メインコンデンサ４１に蓄積された充電電圧により放電管が放電してストロボ発光部４３からストロボ光が照射される。このストロボ光は、ストロボ発光窓８を通して被写体に向けて照射される。
【００２０】
データモジュール２７は、水晶発振子、時計回路、ＬＣＤドライバー、及び、透過型の文字発生用の液晶表示部４５、及びデート初期設定スイッチ等を一体化したモジュール基板と、モジュール用電源電池４７とで構成されており、モジュール基板の裏面で、且つ、撮影窓５の側から見た輪郭形状の範囲に電源電池４７を収めた形態でユニット化部品となっている。このように、モジュール基板の裏面に電源電池４７を取り付けるようにしたから、データモジュール２７が入り込む前カバー２２の膨出部１５をフラットにできる。また、電源電池４７を背面側に取り付けたから、これの右側に配置されるストロボ基板４４との間に電源電池４７用の収納スペースが必要なくなる。また、電源電池４７を撮影窓５の側から見た輪郭形状の範囲に収まるように取り付けたから、撮影窓５の側から見たデータモジュール２７の投影面積を小さくでき、膨出部１５の輪郭形状を小さくすることができる。
【００２１】
時計回路には、将来の数年間のカレンダーが記憶されており、内蔵の基準パルス発生器を水晶発振子により補正し、正確な時間パルスを得て、年、月、及び日との関連を液晶表示部４５に正確に表示する。デート初期設定スイッチは、デートの初期設定を行うためのものである。データモジュール２７の表示は、予め工場で生産された日を基準にして設定され、フイルムユニット１の外部からは変更できないようにされている。電源電池４７は、ボタン型のタイプが用いられ、データモジュール２７を取り外したときに容易に交換できるように取り付けられている。
【００２２】
液晶表示部４５は、前カバー２２の採光窓６に対応した位置で、集光レンズ４６の背後に配置されており、例えば「‘９６  ５  １０」等の文字を白抜きで発生する。年、月、及び日は２文字ずつで構成され、１文字は７セグメント表示である。なお、月を表す文字の２桁目だけは「１」の表示だけでよいから、直線のセグメントを縦に並べた２セグメント表示とされている。また、この液晶表示部４５の前面には、前カバー２２の内壁との間で挟装される集光レンズ４６が設けられている。集光レンズ４６は、採光窓６の背後に配置され、採光窓６から入射する自然光を液晶表示部４５に集光する。
【００２３】
露光ユニット２５の前面には、図４に示すように、撮影レンズ３９を保持し、詳しくは後述するシャッタ羽根の前面を覆うシャッタカバー兼用のレンズホルダー４８が着脱自在に取り付けられている。このレンズホルダー４８には、撮影レンズ３９を保持する部分の右側に、データモジュール２７を取り付けるための取付け部４９が一体に形成されている。取付け部４９には、データモジュール２７を位置決めするための位置決めピン４９ａ，４９ｂと、データモジュール２７を保持するための弾性自在な係止爪４９ｃ，４９ｄと、液晶表示部４５を透過したデート光を背後に向けて通過されせるための開口４９ｅとがそれぞれ一体に形成されている。データモジュール２７には、位置決め穴２７ａ，２７ｂが形成されている。これらの位置決め穴２７ａ，２７ｂを位置決めピン４９ａ，４９ｂに前面側から撮影光軸５４に沿って挿入すると、液晶表示部４５が所定位置に位置決めされ、データモジュール２７の上下の輪郭部が係止爪４９ｃ，４９ｄにそれぞれ係止されることで、液晶表示部４５が保持される。
【００２４】
露光ユニット２５に設けた撮影レンズ３９の背後には、図５に示すように、固定絞り３９ａが、またこれの背後にシャッタ羽根５０が回動自在に支持されている。シャッタ羽根５０は引き戻しバネ５１によりシャッタ開口５２を閉じる閉じ位置に向けて付勢されている。このシャッタ開口５２は、分割暗箱５３の前面中央、すなわち撮影レンズ３９の中心を通る撮影光軸５４上に設けられている。シャッタ羽根５０は、シャッタレリーズに連動してシャッタ機構を構成する蹴飛ばしレバーにより上端が蹴飛ばされ、軸５５を中心に１往復揺動してシャッタ開口５２を開閉する。この間にシャッタ開口５２に入射した被写体光は、２つの分割暗箱３７，５３で構成された暗箱５６内に入射し、有害光遮光枠５７を通って露光開口３８にセットされた写真フイルム３１に露光される。シャッタ羽根５０がシャッタ開口５２を全開したときには、シャッタ羽根５０の上端に設けた突起５８によりストロボユニット２６のシンクロスイッチ４０をＯＮする。
【００２５】
一方、シャッタ羽根５０の一往復揺動中に液晶表示部４５を透過したデート光は、撮影レンズ３９を透過しないで、暗箱５６の前面に形成したデート光用シャッタ開口５９を通って暗箱５６の内部に導かれる。このデート光用シャッタ開口５９は、正面から見てシャッタ開口５２の右下となる位置に、シャッタ開口５２とは別に設けられており、シャッタ羽根５０の先端に一体に設けたデート光用のシャッタ部材６０によりシャッタ羽根５０の開閉動作に連動して開閉される。このシャッタ部材６０は、シャッタ開口５２を塞ぐ開閉部５０ａを挟んで回転軸５５とは逆側に設けられている。
【００２６】
暗箱５６内に導かれたデート光は、結像光学系の光軸６１に沿って露光開口３８に導かれ、ここにセットされた写真フイルム３１に乳剤面側から結像される。結像光学系は、２枚のミラー板６２，６３、及び結像レンズ６４で構成されており、これらは暗箱５６内を通る撮影光束の外に位置するように、有害光遮光枠５７の前面側と分割暗箱５３の前面内壁との間で挟装される。
【００２７】
有害光遮光枠５７は、撮影に有害な光を遮光する開口縁５７ａの左右に設けた穴５７ｂ，５７ｃを、露光開口３８側から撮影光軸５４に沿って挿入して分割暗箱５３の内部左右に設けた一対のピン５３ａ，５３ｂに挿通させ、その後、穴５７ｂ，５７ｃから突出した一対のピン５３ａ，５３ｂの頭をカシメて固定される。
【００２８】
ミラー板６２，６３は、図６及び図７に示すように、露光開口３８側から光軸５４に沿った分割暗箱５３の内部前面の内壁に向けて挿入される。分割暗箱５３の内部前面の内壁には、ミラー板６２，６３を位置決めするための２つの凹部５７ｉ，５７ｈが形成されている。これらの凹部５７ｉ，５７ｈにミラー板６２，６３が挿入される。このうち、ミラー板６３は、詳しくは後述する位置決め部材６５に設けた押さえ部６５ｂで露光開口３８側から押さえ込まれる。位置決め部材６５は、有害光遮光枠５７に設けたピン５７ｅと分割暗箱５３の内部前面の内壁に設けたピン５３ｃとにより所定位置に位置決めされて保持される。
【００２９】
結像レンズ６４は、位置決め部材６５に設けたレンズ保持用開口部６５ａに挿入され、有害光遮光枠５７の右上に設けたレンズ押さえ部５７ｄで、光軸５４に直行する方向に沿った位置が決められて保持される。レンズ押さえ部５７ｄは、結像レンズ６４の鍔部だけを押さえ込む突出形状とされている。このレンズ押さえ部５７ｄは、分割暗箱５３の前面内壁との間で結像レンズ６４を光軸５４に沿った位置を決める。ミラー板６２は、前方に突出して有害光遮光枠５７に設けたミラー用押さえ部５７ｆで露光開口３８側から押さえ込まれる。なお、押さえ部６５ｂと凹部５７ｉとは、ミラー板６２，６３の反射面を押さえるため、デート光を遮らないように、有効反射面外を押さえる形状とされている。
【００３０】
液晶表示部４５を透過したデート光は、図７に示すように、ミラー板６２で撮影光軸５４よりも上側に向けて反射され、他方のミラー板６３で露光開口３８に向けて反射されて結像レンズ６４に入射する。結像レンズ６４は、デート光を撮影レンズ３９側から見て露光開口３８の右上の部分に結像させる。このように、露光開口３８の右上にデート光を写し込むようにしたから、横位置撮影は勿論、縦位置撮影のときにも確実に被写体画像に対して下側にデート像が写し込まれるから、例えば被写体の顔にデート画像が重複して記録されるようなことはない。
【００３１】
なお、ここでいう縦位置撮影は、シャッタボタン１０が右下にくるように該フイルムユニット１を縦に構えて撮影した姿勢とする。また、結像光学系としては、２枚のミラー板６２，６３の代わりに、Ｚ字状をしたライトガイド、又はプリズムを用いてもよい。この場合には、位置決め部材６５を省略し、ライトガイド、又はプリズムを有害光遮光枠５７と暗箱５６との間で挟持するように構成する。これによれば、ライトガイド、又はプリズムに入射したデート光は、内部で全反射するので外部に漏れることはなく、撮影光束に有害な光が混入することはない。
【００３２】
上記のように構成されたレンズ付きフイルムユニットの作用について説明する。工場では、先ず、露光ユニット２５の組立を行う。この組立は、シャッタ機構、フイルム巻止め機構、フイルムカウンタ機構、及びファインダー光学系等を組み込む。これらの組み込みは、分割暗箱５３の上面側に上方からの挿入により行われる。部分的に組立られた露光ユニット２５は、本体基部２４に前面側から挿入することで爪結合により取り付けられる。
【００３３】
この露光ユニット２５は、撮影レンズ３９の側を上に向けた姿勢にしてから、上方からシャッタ羽根５０、引き戻しバネ５１が順に挿入されて取り付けられる。その後、ストロボユニット２６が上方から挿入されて本体基部２４に取り付けられる。これにより、シンクロスイッチ４０がシャッタ羽根５０の揺動軌跡内に入り込む。そして、予め撮影レンズ３９を取り付けたレンズホルダー４８が上方から挿入され、露光ユニット２５に取り付けられる。
【００３４】
その後に、データモジュール２７が上方から挿入され、レンズホルダー４８に取り付けられる。このとき、位置決め穴２７ａ，２７ｂをレンズホルダー４８に設けた位置決めピン４９ａ，４９ｂに嵌合させながら行う。そしてデータモジュール２７を最後まで押し込むことで係止爪４９ｃ，４９ｄがデータモジュール２７の上下輪郭部に係合し、データモジュール２７が露光ユニット２５の所定位置に保持される。
【００３５】
データモジュール２７を取り付けた後には、集光レンズ４６を上方から液晶表示部４５の上に載置し、その後、前カバー２２を上方から挿入して本体基部２４に取り付ける。これにより、集光レンズ４６が前カバー２２の内壁との間で挟持される。このように、本体基部２４に対して露光ユニット２５、ストロボユニット２６、レンズホルダー４８、データモジュール２７、集光レンズ４６、及び前カバー２２等の全ての部品を一方向からの挿入に統一しているので、例えば、前面側を上に向けて置いた本体基部２４に組み付けるようにすると、全ての部品を上方向からの挿入になり、自動化組立が容易に行える。
【００３６】
次には、結像光学系を取り付ける。この取り付けは、本体基部２４の背面側からの挿入となるため、例えば本体基部２４を反転して背面側を上にした姿勢にする。そして、暗箱５６の内部にミラー板６２，６３、位置決め部材６５、結像レンズ６４、及び有害光遮光枠５７を一方向から順に組み込む。
【００３７】
結像光学系を取り付けた本体基部２４は、暗室に搬送され、ここで写真フイルムカートリッジ２８が装填される。この装填は、本体基部２４のカートリッジ収納室３０にカートリッジ２９を、またカートリッジ２９から未露光の写真フイルム３１を引き出してロール形態にしたフイルムロール３１ａをフイルム収納室３２にそれぞれ装填した後に、後カバー２３を本体基部２４に背後から取り付け、最後に底蓋３４，３５を閉めることで完了する。そして、完成したユニット本体２に外装体３が被せた後に出荷される。
【００３８】
撮影は、先ず、巻き上げノブ１３を操作して写真フイルム３１を巻き上げる。写真フイルム３１を巻き上げると、これに従動してフイルム巻き止め機構を構成するスプロケットが回転し、１コマ分のフイルム巻き上げによりスプロケットが所定回転し、これに連係してフイルム巻き止め機構が作動して、スプロケットの回転と巻き上げノブ１３の回転とをロックする。これにより、露光開口３８に最初の撮影コマがセットされる。
【００３９】
シャッタボタン１０の押圧操作が行われると、これに応答してシャッタ羽根５０が蹴飛ばしレバーで蹴飛ばされる。蹴飛ばされたシャッタ羽根５０は、軸５５を中心に１往復往動する。シャッタ羽根５０には、デート光用のシャッタ部材６０が一体に形成されているから、揺動により２つのシャッタ開口５２，５９が開閉され、この開閉中に一方のシャッタ開口５２には撮影窓５及び撮影レンズ３９を通った被写体光が、また他方のシャッタ開口５９からは採光窓６、集光レンズ４６、及び液晶表示部４５を通って作成されたデート光が暗箱５６の内部にそれぞれ入射する。
【００４０】
被写体光は、暗箱５６内で有害光遮光枠５７を通過して露光開口３８にセットされた写真フイルム３１に入射する。デート光は、ミラー板６２，６３を介して結像レンズ６４に入射され、この結像レンズ６４により露光開口３８にセットされた写真フイルム３１の右上に結像され、被写体光と重複して露光される。フイルム面に達する被写体光量は、シャッタ羽根５０が固定絞り３９ａを開いている時間で決まり、これはフイルム感度に合わせて適正露出となるように蹴飛ばしレバーの蹴飛ばし力及び引き戻しバネ５１の付勢力とが予め決められている。フイルム面に達するデート光量は、シャッタ部材６０がシャッタ羽根５０と一体に開閉するから、一義的に決められてしまう。そこで、液晶表示部４５の前に集光レンズ４６を配置して、フイルム面に達するデート光量を多くし、より鮮明に写るようにしている。しかも、結像レンズ６４を採用したことによりデート画像の輪郭をも鮮明に写し込むことができる。
【００４１】
ストロボ撮影の場合には、シャッタボタン１０を押下操作する前に、ストロボ充電開始ボタン９を押下操作する。これにより、電源電池４２からの電圧が昇圧されてメインコンデンサ４１に充電が開始される。メインコンデンサ４１の充電が完了すると、充電完了ランプ表示窓１２に外部に充電完了を示すランプが表示される。この表示を確認してから、シャッタボタン１０を押下操作すれば、シャッタ羽根５０の揺動中にシンクロスイッチ４０がＯＮし、ストロボ発光部４３からストロボ光が被写体に向けて照射される。このストロボ光は、被写体で反射した後に、撮影レンズ３９を通ってシャッタ開口５２から暗箱５６内に導かれ、露光開口３８にセットさした写真フイルム３１に入射する。一方、被写体で反射したストロボ光は、採光窓６にも入射する。入射した光は、液晶表示部４５を透過してデート光となる。このデート光は前述したと同様に写真フイルム３１に露光される。これによれば、暗闇でのストロボ撮影の場合でも、確実にデート画像を写し込むことができる。
【００４２】
以下、前述した撮影を繰り返すことで、写真フイルム３１の各撮影コマには、被写体画像とともにデート画像が写し込まれてゆく。最後の撮影コマに撮影を完了した後には、フイルムカウンタ機構がフイルム巻き止め機構の作動を禁止する。これにより、フイルム巻き止めが作動しないから、フイルム巻き上げ操作によって全部の撮影済みの写真フイルム３１がカートリッジ２９の内部に巻き込まれる。
【００４３】
撮影済みのフイルムユニットは、現像所に提出され、ここで、底蓋３４を開けて露光済みの写真フイルム３１を収納したカートリッジ２９が取り出される。取り出したカートリッジ２９は、フイルムプロセッサーにセットされ、露光済みの写真フイルム３１が現像される。現像済みの写真フイルム３１からは、プリンタプロセッサーによりプリント写真が作成される。作成されたプリント写真と現像済みの写真フイルムは、ユーザーに返却される。仕上がったプリント写真には、横位置撮影の画像の場合には右下に、また縦位置撮影の画像の場合には左下に、それぞれ日付が記録されている。なお、日付は、横位置撮影の画像と同じ向きで写される。
【００４４】
空のレンズ付きフイルムユニットは、工場に回収され、リサイクルされる。リサイクルでは、データモジュール２７、及び露光ユニット２５がそれぞれ前カバー２２及び後カバー２３で保護されているから、破損又は損傷なく回収できており、したがって、前カバー２２及び後カバー２３を取り外した後に、ストロボユニット２６、データモジュール２７、及び露光ユニット２５を取り出せば、そのままの状態で再使用が可能となる。なお、データモジュール２７の電源電池４７は、取り出し後に交換される。
【００４５】
なお、レンズ付きフイルムユニットには、データ写し込み機構を内蔵しない種類のものがある。この種類の場合には、データモジュール２７と結像光学系とを省略し、また、前カバー２２の採光窓６を例えば外装体等で塞げば、残りは全て共通の部品として使用することができる。
【００４６】
また、ストロボユニット２６を内蔵していないタイプもある。この場合には、ストロボ充電開始ボタン９、ストロボ発光窓８、充電完了ランプ表示窓１２が省略されるため、膨出部１５がストロボ充電開始ボタン９を省いた略矩形状となる。この形状に合わせて外装体３の開口３ａを形成すればよい。また、外装体３としては、箱形状のタイプの他に、例えば図８に示すように、ユニット本体２の前面、上面、背面、及び底面を海苔巻状に覆うようにした外装体７０でもよい。この場合には、単に糊代を接着して組み立てる箱タイプでもよいし、また、ラベル紙を用いて外装体７０の裏面全部を貼り付けるようにしてもよい。さらに、膨出部１５を外部に露呈させる開口としては、一部が切り欠かれたものでもよい。
【００４７】
データモジュール２７の正面から見た投影面積の縮小化を図る方法としては、例えば、図９に示すように、モジュール基板をストロボ基板４４側に向けて一段凹むように断面クランク形状にし、一段凹んだ面の背面に電源電池４７を取り付けた形態のデータモジュール７１にしてもよい。また、図１０に示すように、電源電池４７の円形面を水平に向けて取り付けた形態のデータモジュール７１にしてもよい。この場合には、基板の背面側上方に取り付けることで、ストロボ基板４４との間のスペースに収めることができる。
【００４８】
上記実施形態では、結像光学系を２枚のミラー板６２，６３と結像レンズ６４で構成しているが、本発明ではこれに限らず、これらの代わりに、Ｚ字状をしたライトガイドやプリズム等を用いてもよい。この場合には、位置決め部材６５を省略し、ライトガイド、又はプリズムを有害光遮光枠５７と暗箱５６との間で挟持するように構成する。これによれば、ライトガイド、又はプリズムに入射したデート光は、内部で全反射するので外部に漏れることはなく、撮影光束に余計な光が混入することはない。
【００４９】
また、結像光学系の一部、又は全部を有害光遮光枠５７に取り付けるようにしてもよい。図１１は、結像光学系の一部を有害光遮光枠５７に保持させ、残りを暗箱５６の内壁と有害光遮光枠５７との間に挟持するようにした別の実施例である。有害光遮光枠５７には、保持部７３が爪結合により撮影光軸と平行に挿入することで着脱自在に取り付けられる係止部７４が一体に形成されている。保持部７３は、上面に開放側を向けた断面コ字形状とされており、これの先端側にミラー板６３が挿入される溝７３ａが形成されている。保持部７３の後端側には、結像レンズ６４の外周が嵌合される開口７３ｂが形成されている。結像レンズ６４は、保持部７３の開口７３ｂの縁と有害光遮光枠５７との間で挟持される。なお、ミラー板６２は、図６で説明したと同じに有害光遮光枠５７と暗箱５６との間で挟持される。
【００５０】
図１２は、結像光学系の全部を有害光遮光枠５７に保持させるようにした他の実施例である。有害光遮光枠５７には、開口縁５７ａに突出してミラー板６２，６３、及び結像レンズ６４をそれぞれ所定位置に保持するためのホルダー部７５が一体に形成されている。ホルダー部７５には、結像光学系が撮影光軸５４と直交する方向から挿入され、その後、暗箱５６の内部に取り付けることで、挿入側が暗箱５６の内壁で塞がれ、抜け止めされる。
【００５１】
このように、結像光学系を暗箱５６の内壁と有害光遮光枠５７との間で挟持するようにしたから、別途に固定部材を設ける必要がなく、コストダウンを図ることができる。また、暗箱５６の内部に、結像光学系と有害光遮断部材とを、又はこれらを保持した有害光遮光枠５７を撮影光軸５４と平行となる一方向から挿入すればよいから、組み付け作業が容易となり、しかも自動化組立にも対応させることができる。
【００５２】
また、図１１及び図１２で説明した実施形態では、予め有害光遮光枠５７に結像光学系の一部、又は全部を組み付けた状態で、また図６で説明した実施形態では予め露光ユニットの暗箱に結像光学系を組み付けた状態で取り扱うことができるため、組立適性の向上が図れ、しかも部品管理の手間が省ける。
【００５３】
図５で説明した実施例では、結像レンズ６４と２枚のミラー板６２，６３とで結像光学系を構成しているが、本発明ではこれに限らず、図１３に示すように、２枚のミラー板６２，６３を省略し、結像レンズ６４だけを用いてもよい。これによれば、結像光学系を結像レンズ６４だけで構成したから、部品点数が削減できる。この場合には、デート光は、撮影レンズ３９側から見て写真フイルム３１の露光画面内の右下に入射する。
【００５４】
また、図５で説明した実施例では、デート光用シャッタ開口５９が、被写体光用のシャッタ開口５２の右下に配置されているが、別の実施形態として、図１４に示すように、デート光用シャッタ開口７７を、シャッタ開口５２の右上に配置してもよい。
【００５５】
図１４に示すシャッタ羽根７６は、被写体光入射開口となるシャッタ開口５２を覆う開閉部７６ａと、前記開閉部７６ａの揺動軌跡の外側に一体に設けられたシャッタ部材７６ｂとから構成されている。前記シャッタ部材７６ｂは、データ写し込み光入射開口であるシャッタ開口７７を開閉する。これによれば、図１５に示すように、デート光は、暗箱内のうち、撮影レンズ側から見て右上の位置に入射し、結像レンズで露光画面にセットされた写真フイルムの右上に結像すれば、プリント上でのデートの位置が正位置撮影で画面の下方になり、より自然な位置への写し込みとなる。なお、前カバー２２の採光窓６の位置も、当然のことながら、撮影レンズ３９側から見て右上になるが、図示では省略している。
【００５６】
図１６は、図５で説明した実施例と図１４で説明した実施例とのデート光用シャッタ開口５９，７７との位置関係を示したものである。図中、符号７８は、開閉部５０ａが被写体光用シャッタ開口５２を覆う部分の揺動軌跡であり、図５で説明した実施例におけるデート光用シャッタ開口５９と、図１４で説明した実施例におけるデート光用シャッタ開口７７とも、この揺動軌跡の外側に位置していることを示している。
【００５７】
暗箱の前面に設けられた被写体光用シャッタ開口５２は、一段高い面に形成されており、図示のように、シャッタ羽根５０が閉じた状態では、シャッタ羽根５０の裏面側に設けられた遮光リブ７９が、その段差を取り囲み、向かい側の暗箱５３の前面に突出して設けられた暗箱側遮光リブ８０と共働して、周囲からの光漏れを防いでいる。
【００５８】
図１７は、図５で説明した実施例の、シャッタ羽根５０とシャッタ開口５２との周囲の詳細形状を示す図である。シャッタ羽根５０の裏側に設けられた遮光リブ８１、及び暗箱側の遮光リブ８２は、シャッタ羽根５０の開き方向側で、且つ、被写体光用シャッタ開口５２とデート光用シャッタ開口５９との隙間を遮光するように形成されている。
【００５９】
また、図１７で説明した例では、隣接して配置されるストロボ基板４４を記しているが、図から分かるように、シャッタ羽根５０の揺動軌跡７８とストロボ基板４４の外形で囲まれる部分は、シャッタ開口５２の右上に行く程狭くなる。したがって、図１４で説明した例のように、シャッタ開口５２の右上にデート光用シャッタ開口７７を配置すると、ストロボ基板４４は外側に追いやられ、結果としてレンズ付きフイルムユニット本体の大型化を招くことになる。つまり、図５で説明した例のデート光用シャッタ開口５９の位置は、レンズ付きフイルムユニット本体を小型化する上で有効な配置になっていることが分かる。
【００６０】
図１８は、図１４で説明した実施例の、シャッタ羽根５０とシャッタ開口５２の周囲の詳細形状を示す図である。シャッタ羽根５０の裏側に設けられた遮光リブ８３及び暗箱側遮光リブ８４の形状は、シャッタ羽根５０の揺動軌跡の外側で、且つ、被写体光用シャッタ開口５２とデート光用シャッタ開口７７との周囲に生じる隙間を遮光するように形成されている。
【００６１】
なお、図１７で説明したように、この実施例でのデート光用シャッタ開口７７の配置は、レンズ付きフイルムユニットの大型化を招くものではあるが、デート写し込み位置が露光画面にセットされた写真フイルム３１の右上になるので、プリント上での日付の位置が正位置撮影で画面下方になり、より自然な位置への写し込みとなる利点がある。
【００６２】
図５で説明した実施例では、被写体光入射用シャッタ開口５２を挟んだ両側に、シャッタ羽根５０の回転軸５５とデート光用のシャッタ部材６０とをそれぞれ設けているが、本発明ではこれに限らず、図１９に示すように、被写体光入射用シャッタ開口８５を挟んだ一方側に、シャッタ羽根８６の回転軸８７とデート光用のシャッタ部材８８とをそれぞれ設けてもよい。この場合には、データ光用のシャッタ開口８９を暗箱の前面のうち、撮影レンズ側から見て被写体光用のシャッタ開口８５の右上に形成したから、図５で説明したシャッタ羽根８６とは異なる揺動方向となり、シャッタ羽根８６の開閉軌跡の範囲に、デート光用のシャッタ開口８９が位置することになる。このため、シャッタ羽根８６には、揺動中にデート光用のシャッタ開口８９を開口するための、シャッタ開口８９のサイズに合わせた幅で揺動方向に沿って長くしたスリット状の開口９０が形成されている。したがって、被写体光用シャッタ開口５２に対してシャッタ羽根５０の回転軸５５とデート光入射用シャッタ開口との位置は、本発明では限定されるものではない。
【００６３】
また、図５で説明した実施例では、被写体光用の開閉部５０ａと、デート光用のシャッタ部材６０とを一体に設けているが、本発明ではこれに限らず、図２０に示すように、被写体光用の開閉部９１ａと、デート光用のシャッタ部材９２とを別々に設けてもよい。この場合には、シャッタ羽根９１の開閉に連動してシャッタ部材９２を開閉させるようにする。シャッタ部材９２は、データ光用のシャッタ開口９３の前面で軸９４を中心に揺動自在に配置されており、通常はシャッタ羽根９１に設けた突起９１ｂに押されてシャッタ開口９３を閉じている。シャッタ羽根９１が開閉すると、捩じりバネ９５の付勢によりシャッタ部材９２は、シャッタ開口９３を開く位置に向けて回転する。シャッタ羽根９１が引き戻しバネ９６により閉じ位置に向けて回転する途中で、シャッタ羽根９１の突起９１ｂがシャッタ部材９２に設けた受け部９２ａに当接する。捩じりバネ９５は引き戻しバネ９６よりも弱い付勢力とされているため、突起９１ｂが当接した後には、捩じりバネ９５の付勢に抗してシャッタ部材９２を閉じ位置に向けて回転させる。なお、符号９７は、被写体光用のシャッタ開口である。
【００６４】
また、図５で説明した実施例では、自然光を利用してデータ光を作成しているが、本発明ではこれに限らず、図２１に示すように、ストロボ光を利用してデート光を作成するようにしてもよい。この例の前カバー２２の内側には、ライトガイド９８が内蔵されている。ライトガイド９８は、一端９８ａがストロボユニット２６のストロボ発光部４３の前面に、また他端９８ｂがデータモジュール２７の液晶表示部４５の前面にそれぞれ位置している。ライトガイド９８の一端９８ａには、シャッタ羽根の開閉に応答してストロボ発光部４３から発光されるストロボ光の一部が入射する。ライトガイド９８に入射したストロボ光は、ライトガイド９８内で全反射しながら導かれて他端９８ｂに到る。他端９８ｂから出たストロボ光は液晶表示部４５に入射する。液晶表示部４５を透過したストロボ光は、デート光として暗箱内に導かれる。この場合には、ストロボ充電開始ボタン９をワンプッシュ自動再充電方式とし、常にストロボ撮影となるようにしておくのが好適である。これによれば、前カバー２２の採光窓６を省略することができる。
【００６５】
図５で説明した集光レンズ４６は、データモジュール２７と前カバー２２とで挟装しているが、本発明の位置決め保持手段ではこれに限らず、周知の技術を用いてもよい。図２２に示した集光レンズ１００は、採光窓６から入射する自然光を液晶表示部４５に集光するレンズ部の両側に位置決め穴１００ａ，１００ｂが一対設けられており、これらの穴１００ａ，１００ｂを液晶表示部４５の両側に設けられた位置決めピン４５ａ，４５ｂに前面側から挿入することで液晶表示部４５に対して所定の位置に位置決めされる。これらの穴１００ａ，１００ｂ及び位置決めピン４５ａ，４５ｂとで位置決め保持手段を構成する。そして、集光レンズ４６は、前カバー２２の取り付けにより採光窓６の内壁とデータモジュール２７の前面との間で挟装され保持される。
【００６６】
データモジュール２７を取り付けた後には、集光レンズ１００を取り付ける。この取り付けは、液晶表示部４５に前面側から挿入する。この挿入時には、集光レンズ１００の一対の穴１００ａ，１００ｂを液晶表示部４５の両側に設けた位置決めピン４５ａ，４５ｂに嵌合させながら行う。これにより、集光レンズ１００が液晶表示部４５の前面の所定位置に位置決めされる。その後、前カバー２２を前面側から挿入して本体基部２４に取り付ける。これにより、集光レンズ１００がデータモジュール２７と採光窓６の内壁との間で挟持される。このように、本体基部２４に対して露光ユニット２５、ストロボユニット２６、レンズホルダー４８、データモジュール２７、集光レンズ１００、及び前カバー２２等の全ての部品を一方向からの挿入に統一されているので、例えば、前面側を上に向けて置いた本体基部２４に組み付けるようにすると、全ての部品を上方向からの挿入になり、自動化組立が容易に行える。
【００６７】
また、他の位置決め保持手段としては、図２３に示すように、液晶表示部４５の周りにリブ１０１を形成し、このリブ１０１の内壁に段差部１０２を設け、この段差部１０２に集光レンズ１０３を前面側から落とし込むようにして位置決めを行うようにしてもよい。段差部１０２の形状としては、同図では矩形状にしているが、他の形状としては円形等が好適である。この場合には、集光レンズ１０３の外形をこの形状に対応させる。
【００６８】
上記各実施形態では、デートモジュールと結像光学系とをレンズ付きフイルムユニットに内蔵した例としているが、蹴飛ばしタイプのシャッタ機構を用いた安価なカメラにも内蔵することができるのはいうまでもない。
【図面の簡単な説明】
【００６９】
【図１】本発明を実施したレンズ付きフイルムユニットの外観を示す斜視図である。
【図２】外装体の展開図である。
【図３】ユニット本体の分解斜視図である。
【図４】データモジュールと露光ユニットとの取り付け形態を示す斜視図である。
【図５】結像光学系の概略を示す斜視図である。
【図６】結像光学系と有害光遮断部材との取り付け形態を示した斜視図である。
【図７】データ光学系の光路を示す断面図である。
【図８】のりまき状の外装体を用いたい実施例を示す展開図である。
【図９】断面クランク状のデータモジュールを用いる実施例を示す斜視図である。
【図１０】ボタン型電池を、これの円形状の面を上にした状態でデータモジュールに取り付けるようにした実施例の斜視図である。
【図１１】結像光学系の一部を有害光遮断部材に取り付けるようにした実施例を示す斜視図である。
【図１２】結像光学系の全部を有害光遮断部材に取り付けるようにした実施例を示す斜視図である。
【図１３】結像レンズだけで結像光学系を構成した実施例を示す斜視図である。
【図１４】撮影レンズ側から見て被写体光用シャッタ開口に対してデート光用シャッタ開口を右上に配置した実施例を示す斜視図である。
【図１５】図１４で説明した実施例の結像光学系の概略を示す斜視図である。
【図１６】撮影レンズ側から見て被写体光用シャッタ開口に対してデート光用シャッタ開口を右上に配置した例と右下に配置した例との比較を説明した説明図である。
【図１７】撮影レンズ側から見て被写体光用シャッタ開口に対してデート光用シャッタ開口を右下に配置した例の要部を説明した説明図である。
【図１８】撮影レンズ側から見て被写体光用シャッタ開口に対し、デート光用シャッタ開口を右上に配置した例の要部を説明した説明図である。
【図１９】シャッタ羽根の開閉方向を変えた実施例を示す斜視図である。
【図２０】デート光用シャッタ部材と、被写体光用シャッタ羽根とを別々に設けた実施例を示す正面図である。
【図２１】ストロボ光を利用してデート光を作成するようにした実施例を示す斜視図である。
【図２２】位置決めピンと位置決め穴とで集光レンズを位置決めする実施例を示した斜視図である。
【図２３】集光レンズをこれの輪郭形状を段差部に合わせて位置決めする実施例を示した斜視図である。
【符号の説明】
【００７０】
１  レンズ付きフイルムユニット
２  ユニット本体
３  外装体
５  撮影窓
６  採光窓
１５  膨出部
２２  前カバー
２３  後カバー
２７  データモジュール
２８  写真フイルムカートリッジ
３９  撮影レンズ
４７  電源電池
【図１】
2005196229.tif 000003
【図２】
2005196229.tif 000004
【図３】
2005196229.tif 000005
【図４】
2005196229.tif 000006
【図５】
2005196229.tif 000007
【図６】
2005196229.tif 000008
【図７】
2005196229.tif 000009
【図８】
2005196229.tif 000010
【図９】
2005196229.tif 000011
【図１０】
2005196229.tif 000012
【図１１】
2005196229.tif 000013
【図１２】
2005196229.tif 000014
【図１３】
2005196229.tif 000015
【図１４】
2005196229.tif 000016
【図１５】
2005196229.tif 000017
【図１６】
2005196229.tif 000018
【図１７】
2005196229.tif 000019
【図１８】
2005196229.tif 000020
【図１９】
2005196229.tif 000021
【図２０】
2005196229.tif 000022
【図２１】
2005196229.tif 000023
【図２２】
2005196229.tif 000024
【図２３】
2005196229.tif 000025